(57)【要約】      （修正有）【課題】ペットボトルを打楽器の一部として有効に利用でき、天板を叩いても音を発生できる複合打楽器を提供する。【解決手段】天板１とそれを支える側板２を備え、側板２にはペットボトル３のキャップ部４がはめ込める穴を設けている。この構造によりペットボトル３はしっかりと側板２に固定でき、安定して発音可能となるペットボトル利用打楽器を実現した。棒状の物５でペットボトルや天板を叩くことにより多彩な音列の発生が可能となる。【選択図】図１
2012128382.tif 000002
【特許請求の範囲】
【請求項１】
天板と前記天板を支える側板を備え、前記側板にペットボトルのキャップ部がはめ込まれる穴を備え、ペットボトルがキャップ部で前記側板に固定可能な構造となっており、前期天板とペットボトルを棒状のスティックで叩いて音を発生させる事を特徴とする、ペットボトル利用打楽器。
【発明の詳細な説明】
【技術分野】
【０００１】本発明はお茶、ジュース、コーヒーなど飲料製品の容器として幅広く用いられるペットボトルを利用した打楽器に関する。
【背景技術】
【０００２】使用済みペットボトルは、通常は廃棄されたり、リサイクルに廻されたりするが、そのまま再利用できればゴミ減量にも資するので各種再利用の方法が考案されている。打楽器や管楽器などの楽器としての再利用もその一つである。図２に従来例のペットボトル利用打楽器の一例を示す。ペットボトルのキャップ部に人が握りやすい握り手の部分を設け、左右の手に二つの取っ手付きペットボトルを持ち、二つのペットボトルを衝突させて音を発生させる仕組みである。
【先行技術文献】
【特許文献】
【０００３】ペットボトル利用打楽器に関しては各種発明が既に出願されている。特許文献１に示されているのは取っ手付きペットボトルの音色改善に関する。特許文献２に示されているのは楽器を含む各種遊戯用具へのペットボトルの利用に関する。
【特許文献１】特開２００９−３４１５１号公報
【特許文献２】特開２０１０−６４７８７号公報
【発明の概要】
【発明が解決しようとする課題】
【０００４】ペットボトル利用楽器の課題は本格的な専用設計の楽器に比べて音の響きや音の深みの点で劣っていることと、単純構造なるが故に飽きられやすいということである。取っ手付きペットボトルを鳴らすのはスポーツ観戦時の応援などには良いが、自宅で楽器演奏する場合を想定すると、単純で物足りないという欠点があった。
【課題を解決するための手段】
【０００５】上記課題に鑑み、本発明では天板と前記天板を支える側板を備え、前記側板にペットボトルのキャップ部がはめ込まれる穴を備え、ペットボトルがキャップ部で前記側板に固定可能な構造となっており、前期天板とペットボトルを棒状のスティックで叩いて音を発生させる事を特徴とする、ペットボトル利用打楽器を提供する。天板や側板は木材、プラスティック、金属など求める音色や響きにより適切な材料を選択する。キャップ部をはめ込む穴はペットボトルを確実に固定し、安定した音を発生させるため、適切な大きさに加工する。はめ込んだ時、ガタがなく演奏時の衝撃で外れたりしない事が重要である。ペットボトルは２５０ｃｃ程度の小ボトルから２０００ｃｃを超える大きなボトルまで多種存在するが、求める音色や響きの物を適切に選択する。
【発明の効果】
【０００６】本発明では上記した手段により、ペットボトルを打楽器の一部として有効に利用でき、他に天板を叩いても音を発生できるので複合打楽器として多彩な音列を発生させ楽しめる音色や音響が良好な打楽器を実現できる。
【図面の簡単な説明】
【０００７】
【図１】本発明の実施の形態例のうち実施例１の側面図を示す。
【図２】従来の形態例の側面図を示す。
【図３】本発明の実施の形態例のうち実施例２の上面図を示す。
【図４】本発明の実施の形態例のうち実施例３の上面図を示す。
【発明を実施するための形態】
【０００８】以下に本発明を実施するための形態について図１から図４に基づいて説明する。図においては、１は天板、２は側板、３はペットボトル、４はペットボトルのキャップ部で側板に開口した穴にはめ込まれている。５は棒状体（スティックとも言う）であり、これで天板やペットボトルを叩いて音を発生させる。６は取っ手、７は発光ダイオードで動物の目に相当する位置に配置されている。８は発光ダイオードを点灯させるためのスイッチ部分であり、ここを叩くか押すと発光ダイオードが点灯する。
【実施例１】
【０００９】図１は本発明の実施の形態例を示す外観の側面図である。天板と側板は厚さ１０ｍｍの花梨の板材から、それぞれ８０ｍｍｘ１６０ｍｍと８０ｍｍｘ９０ｍｍの長方形に切り出す。側板は同じサイズの物を２枚準備する。側板には直径約２９ｍｍの貫通穴を開口する。ペットボトルのキャップ部をペットボトル本体から外し、側板の貫通穴に挿入する。このとき木槌などで叩き込んで確実にキャップ部が側板に固定されるべく貫通穴の径は仕上げている。側板の上に天板を乗せ木工ボンドで両者が固定されている。ボンドが完全に固まった後、ペットボトル本体を側板にはめ込んだキャップ部にねじ込み楽器が完成する。【００１０】発音体であるペットボトルや天板を叩くための棒状の物は金属、木、プラスティックなど幅広く使用できる。本実施例では、直径７ｍｍ程度、長さ２５０ｍｍ程度の木製品（花梨材）を用いた。ペットボトルはお茶が入っていた市販の１０００ｃｃボトルを２個使用した。ペットボトルの中央、端その他中間地点など叩く場所により音色は変化する。天板の場合も同様に中央、端その他中間地点など叩く場所により音色は変化する。本実施例ではペットボトルを２個使用したが、その他、１個でも良いし、３個以上の複数で構成させても良いことは明らかである。
【実施例２】
【００１１】実施例１では天板に単純な長方形の物を使用したが、実施例２では動物（うさぎ）の形に曲線加工して打楽器を構成した。側板は実施例１と同様に単純な長方形である。この場合の天板の特徴として単純な長方形に比較して複雑な曲線のシルエットとなっているので、叩く場所により発生する音色がより多彩になる。図３に天板の上面図を示す。動物はうさぎ以外にも鯨、猫、犬、鳥など幅広く選択可能である。なお、図３では簡略のためペットボトルを図示してないが、図１と同様に側板２に、はめ込む構成になっている。
【実施例３】
【００１２】実施例２では動物（うさぎ）の形に曲線加工した天板を使用し打楽器を構成した。実施例３ではさらに、動物（うさぎ）の耳の部分を一部で分離させ、そこを叩いた場合に目が光る構成とした。図４に天板の上面図を示す。目の部分に発光ダイオードを仕込んであり、分離した耳の先端部分の裏に仕込んであるスイッチと連動させている。図４の矢印方向に耳の先端部分である８が回転する。電源は単三型乾電池２本を用いた。この様な形態にすることにより、打楽器の音を楽しむだけでなく、視覚的にもリズムを楽しむことができるので、例えば聴覚に困難がある人でも打楽器をより楽しめる効果がある。なお、図４では簡略のためペットボトルを図示してないが、図１と同様に側板２に、はめ込む構成になっている。
【符号の説明】
【００１３】１  天板
２  側板
３  ペットボトル
４  キャップ部
５  スティック
６  取っ手
７  発光ダイオード
８  スイッチ部
【図１】
2012128382.tif 000003
【図２】
2012128382.tif 000004
【図３】
2012128382.tif 000005
【図４】
2012128382.tif 000006